(57)【要約】      （修正有）【課題】視聴したいテレビ放送番組や映像コンテンツが決定するまで、不必要な情報を不規則に自らの意志に反して受け続けることのないリモートコントローラを提供する。【解決手段】映像録画再生装置やテレビ放送受信装置を含む情報機器用のリモートコントローラに、映像録画再生装置やテレビ放送受信装置を含む情報機器のモニター画面で視聴可能な放送番組や映像コンテンツを直接表示出来る映像受信装置と映像表示装置を備え、視聴したい放送番組や映像コンテンツの選択作業の多くを映像録画再生装置やテレビ放送受信装置を含む映像情報機器のモニター画面を使わず前記リモートコントローラ上で完結させる環境を提供するとともに、リモートコントローラ上で視聴中の放送番組や映像コンテンツを映像再生装置やテレビ放送受信装置を含む映像情報機器のモニター画面に同期させて直接表示する簡潔な機能と新たな操作手段を付加している。【選択図】図１
2008278437.tif 000002
【特許請求の範囲】
【請求項１】
少なくとも映像録画再生装置とテレビ放送受信装置を含む任意の映像情報機器を操作する機能を備えたリモートコントローラにおいて、前記映像情報機器のモニター画面に出力して視聴するテレビ放送番組を含む映像コンテンツの一部もしくは全てを視聴し確認できる映像受信装置と映像表示装置を有し、前記映像受信装置と前記映像表示装置で視聴中の放送番組を含む映像コンテンツを前記映像情報機器のモニター画面に瞬時に同期させて表示するための操作環境と機能を備えたことを特徴とする前記リモートロントローラ。
【請求項２】
映像録画再生装置とテレビ放送受信装置を含む任意の映像情報機器において、前記映像情報機器のモニター画面に出力して視聴できるテレビ放送番組を含む映像コンテンツの一部もしくは全てを前記リモートコントローラの操作で抽出し前記リモートコントローラの前記映像受信装置に送信する映像コンテンツ再送信装置を備えたことを特徴とする前記映像情報機器。
【請求項３】
ワンセグ放送を含むテレビ放送の番組を視聴する機能とテレビ放送受信装置のリモートコントローラとしての機能を備えた携帯電話を含む任意の携帯端末において、前記携帯端末の表示装置で視聴中のテレビ放送番組を前記テレビ放送受信装置のモニター画面に瞬時に同期させて表示するための操作環境と機能を備えたことを特徴とする前記携帯端末。
【発明の詳細な説明】
【技術分野】
【０００１】  本発明は、リモートコントローラを使った映像録画再生装置やテレビ放送受信装置含む映像情報機器の操作環境や機能を、映像情報機器を取りまく技術環境の変化や、人間の生活意識と行動特性の変化にあわせて再編し、再構築するものである。
【背景技術】
【０００２】  従来の映像録画再生装置やテレビ放送受信装置を含む映像情報機器用のリモートコントローラは映像情報機器に組み込まれたモニターや映像情報機器に接続して利用されるモニターの画面に表示される映像や番組情報を直接確認しながら視聴したい放送番組や映像コンテンツを選ぶものが主流であるが、「テレビ用ビジュアルリモコン」と称し、リモートコントローラのタッチパネルに複数のテレビ放送番組の動画像をアイコン化して整列配置させ、そのアイコンを選択することでテレビ放送受信装置を操作し、テレビ画面に視聴したい番組を表示させる考案もなされている。（例えば、特許文献１参照。）
【特許文献１】  特開平７−７６３１  公報
【０００３】  映像録画再生装置やテレビ放送受信装置を含む映像情報機器は、複数の人間が一台の映像情報機器とそれに組み込まれたり接続されているモニターの画面を共有し同時に同一の放送番組や映像コンテンツを見て楽しむ機会も提供しているが、従来の映像情報機器と映像情報機器用のリモートコントローラとの関係は、リモートコントローラを操作する一人の情報機器利用者を想定して構築されたものにすぎず、映像録画再生装置やテレビ放送受信装置を含む映像情報機器一台で複数の人間が同時に同一の映像コンテンツを快適に楽しむような場面を想定した機能付加や操作手段の工夫はほとんど行われていない。【０００４】  独自の通信ネットワークから得たテレビの番組表を表示する画面を有し、この画面に表示された番組表の任意の番組を指定することで任意のテレビ放送受信装置のモニターに視聴したいテレビ放送番組を表示させるテレビのリモートコントローラ機能を兼ね備えた携帯電話を含む携帯端末も普及している。【０００５】  地上波デジタル放送の普及を含む技術環境の変化を受け、従来から普及しているテレビのリモートコントローラ機能に加えテレビのワンセグ放送を受信出来る機能を備えた携帯電話を含む携帯端末も急速に普及しはじめている。【０００６】  我が国における現行のワンセグ放送は通常の地上波テレビ放送や地上波デジタル放送と同じ番組を同じ時間に放送するサイマル放送となっており、それぞれの地域、それぞれの放送局ごとに同一時間帯に同一のテレビ放送番組が放映されている。
【発明が解決しようとする課題】
【０００７】  従来の映像録画再生装置やテレビ放送受信装置を含む映像情報機器用のリモート・コントローラは、映像情報機器や映像情報機器用のモニター画面に表示される映像と番組情報を直接確認しながら視聴したいテレビ放送番組や映像コンテンツを選ぶものとなっていたため、同じ情報機器や映像情報機器用のモニター画面を共有して視聴するリモートコントローラを直接操作する利用者以外の視聴者は視聴したいテレビ放送番組や映像コンテンツが決定するまで、不必要な情報を不規則に自らの意志に反して受け続けることとなり、これらのノイズ発生により快適な視聴が妨げられる。
【０００８】  従来の映像録画再生装置やテレビ放送受信装置を含む映像情報機器用のリモート・コントローラは、映像情報機器や映像情報機器用のモニター画面に表示される映像や番組情報を直接確認しながら視聴したい放送番組や映像コンテンツを選ぶものとなっており、テレビ放送番組や映像コンテンツの選定時に映像情報機器や映像情報機器のモニター画面に短時間で集中的に何度も現れる急激な光量変化は、テレビの大型化やモニター画面のさらなる輝度向上を背景に、リモートコントローラを直接操作する利用者にとっても快適なものとは言えないノイズとなっている。
【０００９】  それ自体に設置された表示装置にテレビの番組表を文字や記号で表示し、視聴を希望する番組を表示された番組表の中から選択することで任意のテレビ放送受信装置を操作するテレビのリモートコントローラ機能を備えた携帯電話を含む携帯端末が普及しているが、限られた文字数や記号によって構成される番組表から実際の番組内容を類推出来る範囲は限られており、番組選定作業の繰り返しによるノイズは避けられない。
【００１０】  現行の携帯電話はワンセグ放送のテレビ放送番組受信機能とテレビのリモートコントローラとしての機能を同時に有していてもこの二つの機能に連携を持たせたものはなく、ワンセグ放送受信装置で視聴中のテレビ放送番組と同一の番組を任意のテレビ放送受信機のモニター画面に出力して楽しむ場合、この任意のテレビ放送受信装置用のリモートコントローラを利用し直接操作するか、携帯電話でのワンセグ放送によるテレビ放送番組視聴を一時中断して、この携帯電話に備えられたテレビ用のリモートコントローラ機能を呼び出し、あらためて任意のテレビ放送受信装置を操作することになる。
【００１１】  本発明は、従来の映像録画再生装置やテレビ放送受信装置を含む映像情報機器用のリモートコントローラおよびリモートコントローラを使う映像録画再生装置やテレビ放送受信機を含む映像情報機器の機能と操作手段に内包されている上記のような問題点を、映像情報機器を取りまく技術環境の変化や、人間の生活意識と行動特性の変化にあわせて改良、再構築し解決することを目的としたものである。
【課題を解決するための手段】
【００１２】  本発明は、上記課題を解決するため、映像録画再生装置やテレビ放送受信装置を含む情報機器用のリモートコントローラに、前記映像録画再生装置やテレビ放送受信装置を含む情報機器のモニター画面で視聴可能な放送番組や映像コンテンツを直接表示出来る映像受信装置と映像表示装置を備え、視聴したい放送番組や映像コンテンツの選択作業の多くを前記映像録画再生装置やテレビ放送受信装置を含む映像情報機器のモニター画面を使わず前記リモートコントローラ上で完結させる環境を提供するとともに、前記リモートコントローラ上で視聴中の放送番組や映像コンテンツを前記映像再生装置やテレビ放送受信装置を含む映像情報機器のモニター画面に同期させて直接表示する簡潔な機能と新たな操作手段を付加している。
【００１３】  前記リモートコントローラに備えられる前記映像受信装置と前記映像表示装置は地上波デジタル放送やワンセグ放送を直接受信して表示するものでも、前記映像録画再生装置やテレビ放送受信機に予め組み込まれた映像コンテンツ再送信装置から送られる情報を受信して表示するものでもよい。
【００１４】  前記映像コンテンツ再送信装置は前記リモートコントローラから送信される指示に従いその都度必要なテレビ放送番組を含む映像コンテンツを抽出し前記映像受信装置と前記映像表示装置で視聴可能な映像情報に変えて送信する機能を有する。
【００１５】  第２の課題解決手段は、地上波デジタル放送やワンセグ放送を利用したテレビ放送番組を視聴できる携帯電話を含む携帯端末に、前記携帯端末で視聴中のテレビ放送番組を任意のテレビ放送受信装置のモニター画面に瞬時に同期させて表示するリモートコントローラ機能を持たせたものとなる。
【００１６】  地上波デジタル放送やワンセグ放送によるテレビ放送番組の視聴が可能な携帯電話を含む携帯端末の多くはテレビのリモートコントローラとしての機能が予め付加されており、この従来のリモートコントローラとしての機能を実現する機構とテレビ放送番組の受信操作機能との間の連携をはかる新たなアプリケーションを追加提供することで、前記携帯端末で視聴中のテレビ放送番組を任意のテレビ放送受信装置のモニター画面に瞬時に同期させ表示する機能と操作手段を組み込んだ前記携帯端末を実現することが可能となる。
【００１７】  上記第１の課題解決手段はテレビ放送や映像コンテンツを選択する際にも当然のように確認用画面として使われていた映像録画再生装置やテレビ放送受信装置を含む映像情報機器のモニター画面への依存を減らす効果を生み、視聴中のテレビ放送番組や映像コンテンツと次に視聴するテレビ番組や映像コンテンツの間にノイズの入らない心地よい視聴環境を提供を可能とする。
【００１８】  映像録画再生装置やテレビ放送受信装置を含む映像情報機器に前記映像コンテンツ送信装置を組み込む場合には多くの点で新たな機器開発が求められるが、テレビ放送だけに対応したものとして製品化する場合には地上波デジタル放送やワンセグ放送のコンテンツをそのまま利用出来るリモートコントローラを提供することで既存のテレビ受信機にも同様の利便を供与することが可能となる。
【００１９】  上記第２の課題解決手段は、地上波デジタル放送やワンセグ放送でのテレビ放送番組を受信する機能とテレビのリモートコントローラとしての機能を併せ持つ携帯電話を含む携帯端末に、従来のリモートコントローラとしての機能を実現する機構とテレビ放送番組の受信操作機能との間の連携をはかる新たなアプリケーションを追加提供するものであり、現行の携帯電話を含む携帯端末を所有する多くの利用者にも容易に利便を供与することが可能となる。
【発明の効果】
【００２０】  上述したように、本発明のリモートコントローラはテレビ放送番組や映像コンテンツの選定作業の多くを映像録画再生装置やテレビ放送受信装置を含む映像情報機器のモニター画面に依存せずに行う機能を有しており、従来の技術では顧みられなかったテレビ放送番組や映像コンテンツ選定時の不必要なノイズの除去を実現することで視聴環境を飛躍的に改善するものとなる。
【００２１】  上述したように、文字や記号を手がかりに視聴したいテレビ放送番組の選定を行う従来のリモートコントローラとしての機能を実現する機構とテレビ放送番組の受信操作機能との間の連携をはかる新たなアプリケーションを追加された携帯電話を含む携帯端末は、テレビ放送番組や映像コンテンツの選定作業の多くを映像録画再生装置やテレビ放送受信装置を含む映像情報機器のモニター画面に依存せずに行う機能を有し、テレビ放送番組や映像コンテンツ選定時の不必要なノイズの除去を実現することで視聴環境を飛躍的に改善するものとなる。
【発明を実施するための最良の形態】
【００２２】  以下、本発明の実施形態を図１〜図８に基づいて説明する。【００２３】  図１において、テレビ放送受信装置Ａは本発明のリモートコントローラＡの他に、従来のリモートコントローラを使用して視聴することの出来る既存のテレビ送受信装置である。【００２４】  図１において、テレビ放送受信装置Ｂは、テレビ放送受信装置Ｂのモニター画面８ａに出力可能なテレビ放送番組や映像コンテンツをリモートコントローラＢの操作で抽出しリモートコントローラＢの映像受信装置３ｂ’に再送信する機能を備えた映像コンテンツ再送信装置１１Ｂを有するテレビ放送受信装置である。【００２５】  図１において、テレビ放送受信装置ＡとリモートコントローラＡは地上波デジタル放送やワンセグ放送の映像情報をリモートコントローラＡの映像受信装置３ａ’で直接受信して映像表示装置３ａに表示する方式を採用しており、番組サーチボタン１ａやテンキー４ａで選択された視聴可能なテレビ放送番組を映像表示装置３ａで確認しながら決定ボタン２ａを操作することによりテレビ放送受信装置Ａの赤外線受光部１０ａに指示を送り、モニター画面８ａに出力されるテレビ放送番組をリモートコントローラＡの映像表示装置３ａに予め表示されたテレビ放送番組と瞬時に同期させることができる。【００２６】  図１において、テレビ放送受信装置ＢとリモートコントローラＢはテレビ放送受信装置Ｂの映像コンテンツ再送信装置１１ｂが抽出した映像情報６ｂを映像受信装置３ｂ’で受信してリモートコントローラＢの映像表示装置３ｂに表示する方式を採用しており、番組サーチボタン１ｂやテンキー４ｂを操作し映像コンテンツ再送信装置１１ｂに任意の映像情報の抽出を指示５ｂ、折り返し映像コンテンツ再送信装置１１ｂから送信される映像情報６ｂを映像受信装置３ｂ’で受信し、映像表示装置３ｂに表示される映像を確認しながら決定ボタン２ｂを操作することでテレビ放送受信装置Ｂの赤外線受光部１０ｂに指示を送り、モニター画面８ｂに出力されるテレビ放送番組をリモートコントローラＢの映像表示装置３ｂに予め表示されたテレビ放送番組と瞬時に同期させることができる。【００２７】  図２において、テレビ受信機Ｂの機能を詳細に見ると、テレビ電波の入力部１５ｂ、テレビ番組受信機１４ｂ、テレビモニター画面８ｂへの映像出力部１２ｂ、赤外線受光部１０ｂから構成される通常のテレビ放送受信装置に、映像コンテンツ再送信装置１１ｂとこの映像コンテンツ送信装置１１ｂへの独立した映像出力部１３ｂが加えられ、テレビモニター画面８ｂへの映像出力部１２ｂと映像コンテンツ再送信装置１１ｂへの映像出力部１３ｂはテレビ放送番組受信機１４ｂからそれぞれ独立し異なる放送番組を受け取り出力する機能を有するものとして構成されている。【００２８】  図２において、赤外線受光部１０ｂは映像出力部１２ｂと映像出力部１３ｂにそれぞれ異なる放送番組の出力を要請する機能を持ち、映像コンテンツ再送信装置１１ｂは映像出力部１３ｂから受け取った映像をリモートコントローラに向けて再度送信する機能を有するものとして構成される。【００２９】  図３において、映像録画再生装置Ｃの機能を詳細に見ると、ＤＶＤを含む映像媒体用のデータ読み取��装置１６ｃ、データ保存用のハードディスク１７ｃ、映像録画再生装置としての基本機能が集中する基幹部１８ｃ、映像情報の入力部２０ｃ、映像情報の出力部１９ｃ、赤外線受光部１０ｃと言う通常の映像録画再生装置にリモートコントローラの映像受信部に映像情報を送信する映像コンテンツ再送信装置１１ｃが加えられたものとなる。【００３０】  図３において、映像情報の出力部１９ｃは外部モニターや他の映像情報機器への映像情報出力機能を果たすと同時に、リモートコントローラの映像受信部に映像情報を送信する映像コンテンツ再送信装置１１ｃへの映像データ出力機能も有するものとし構成される。【００３１】  図４において、リモートコントローラＤの機能と構造を見ると、地上波デジタル放送、ワンセグ放送、対応する映像情報機器の映像コンテンツ再送信装置から送られる映像情報のいずれかを受信する映像受信装置３ｄ’と映像表示装置３ｄと放送番組選定のための番組サーチボタン１ｄとテンキー４ｄと、映像表示装置３ｄに予め表示された放送番組をこのリモートコントローラＤに対応する映像情報機器のモニター画面に瞬時に同期させ表示させる決定ボタン２ｄとで構成される。【００３２】  図５において、リモートコントローラ機能を備えた携帯電話Ｅの構造を見ると、ワンセグ放送のテレビ放送番組を受信する映像受信装置３ｅ’とテレビ番組を表示する映像表示装置３ｅと放送番組選定のための番組サーチボタン１ｅとテンキー４ｅと、映像表示装置３ｅに予め表示された放送番組をこのリモートコントロール機能に対応する映像情報機器のモニター画面に瞬時に同期させて表示させる決定ボタン２ｅとで構成される。
【図面の簡単な説明】
【００３３】
【図１】本発明の基本構造と機能を示す概念図
【図２】テレビ放送受信装置の基本構造図
【図３】映像出力装置の基本概念図
【図４】リモートコントローラ基本構造図
【図５】リモートコントローラ機能を備えた携帯電話の基本構造図
【符号の説明】
【００３４】１ａ、１ｂ、１ｄ、１ｅ……………番組サーチボタン
２ａ、２ｂ、２ｄ、２ｅ……………決定ボタン
３ａ、３ｂ、３ｄ、３ｅ……………映像表示装置
３ａ’、３ｂ’、３ｄ’、３ｅ’…映像受信装置
４ａ、４ｂ、４ｄ、４ｅ……………テンキー
８ａ、８ｂ……………………………モニター画面
１０ａ、１０ｂ、１０ｃ……………赤外線受信部
１１ｂ、１１ｃ………………………映像再送信装置
１２ｂ…………………………………映像出力部
１３ｂ…………………………………映像出力部
１４ｂ…………………………………テレビ番組受信機
１５ｂ…………………………………テレビ電波の入力部
１６ｃ…………………………………データ読み取り装置
１７ｃ…………………………………ハードディスク
１８ｃ…………………………………映像録画再生装置としての基本機能が集中する基幹部
１９ｃ…………………………………映像情報の出力部
２０ｃ…………………………………映像情報の入力部
２１ｅ…………………………………テレビ放送番組の受信操作機能
２２ｅ…………………………………リモートコントローラとしての機能を実現する機構
【図１】
2008278437.tif 000003
【図２】
2008278437.tif 000004
【図３】
2008278437.tif 000005
【図４】
2008278437.tif 000006
【図５】
2008278437.tif 000007